(57)【特許請求の範囲】
【請求項１】
プラスチック管との接合面に電熱線を埋設したエレクトロフュージョン継手とプラスチック管との電気融着を継手に貼付したバーコードラベルのバーコードをバーコード読取装置で読取って融着条件を求めたのち、該融着条件に基づいて行う電気融着方法において、バーコード読取装置でバーコードを読取ると、そのことが表示手段に表示され、この表示は、電気融着に用いる装置のコネクターを継手の端子に差込んで接続することにより解除されることを特徴とするエレクトロフュージョン継手の融着方法。
【請求項２】
コネクターを継手の端子に差込んで接続したのち通電開始前にコネクターを抜き取ると、表示手段の表示が再度行われる請求項１記載のエレクトロフュージョン継手の融着方法。
【請求項３】
プラスチック管との接合面に電熱線を埋設したエレクトロフュージョン継手とプラスチック管との電気融着を継手に貼付したバーコードラベルのバーコードをバーコード読取装置で読取って融着条件を求めたのち、該融着条件に基づいて行う電気融着方法において、バーコード読取装置でバーコードを読取ると、そのことが表示手段に表示され、この表示は、継手への通電を開始することにより解除されることを特徴とするエレクトロフュージョン継手の融着方法。
【請求項４】
プラスチック管との接合面に電熱線を埋設したエレクトロフュージョン継手とプラスチック管との電気融着を継手に貼付したバーコードラベルのバーコードをバーコード読取装置で読取って融着条件を求めたのち、該融着条件に基づいて行う電気融着方法において、バーコード読取装置でバーコードを読取ると、そのことが表示手段に表示され、この表示は、リセット信号により解除されることを特徴とするエレクトロフュージョン継手の融着方法。
【請求項５】
プラスチック管との接合面に電熱線を埋設したエレクトロフュージョン継手とプラスチック管との電気融着を継手に貼付したバーコードラベルのバーコードをバーコード読取装置で読取って融着条件を求めたのち、該融着条件に基づいて行う電気融着装置において、バーコードの読取り済みを表示する表示手段と、バーコード読取装置のバーコード読取信号により表示手段に表示を指令する出力をするコントローラと電気融着装置のコネクターを継手の端子に差込んで接続したとき、これを検出してコントローラに表示手段による表示を解除するための出力をする検出手段とからなることを特徴とするエレクトロフュージョン継手の融着装置。
【請求項６】
プラスチック管との接合面に電熱線を埋設したエレクトロフュージョン継手とプラスチック管との電気融着を継手に貼付したバーコードラベルのバーコードをバーコード読取装置で読取って融着条件を求めたのち、該融着条件に基づいて行う電気融着装置において、バーコードの読取り済みを表示する表示手段と、バーコード読取装置のバーコード読取信号により表示手段に表示を指令する出力をするコントローラとからなり、上記コントローラは、融着開始用のスイッチに出力して該スイッチをＯＮにしたとき表示手段による表示の解除を指令する信号を出力する機能を有することを特徴とするエレクトロフュージョン継手の融着装置。
【請求項７】
プラスチック管との接合面に電熱線を埋設したエレクトロフュージョン継手とプラスチック管との電気融着を継手に貼付したバーコードラベルのバーコードをバーコード読取装置で読取って融着条件を求めたのち、該融着条件に基づいて行う電気融着装置において、バーコードの読取り済みを表示する表示手段と、バーコード読取装置のバーコード読取信号により表示手段に表示を指令する出力をするコントローラとからなり、時計機構或いは設定時間経過すると、コントローラに表示手段による表示を解除するための出力をするタイマーを設けたことを特徴とするエレクトロフュージョン継手の融着装置。
【請求項８】
プラスチック管との接合面に電熱線を埋設したエレクトロフュージョン継手とプラスチック管との電気融着を継手に貼付したバーコードラベルのバーコードをバーコード読取装置で読取って融着条件を求めたのち、該融着条件に基づいて行う電気融着装置において、バーコードの読取り済みを表示する表示手段と、バーコード読取装置のバーコード読取信号により表示手段に表示を指令する出力をするコントローラとからなり、コントローラに表示手段による表示を解除するためのリセット信号を出力するリセットボタンを設けたことを特徴とするエレクトロフュージョン継手の融着装置。
【発明の詳細な説明】
【０００１】
【発明が属する技術分野】
本発明は、プラスチック管との接合面に電熱線を埋設したエレクトロフュージョン継手とプラスチック管との電気融着方法及び装置に関する。
【０００２】
【従来技術】
エレクトロフュージョン継手とプラスチック管との融着は一般に、継手の種類によって電圧、電流、電力、出力時間等、融着条件を異にして行われる。そのため融着に際しては継手の種類に応じた融着条件を知ることが必要となる。継手の融着条件を求める方法の一つに継手に貼付したバーコードラベルのバーコードの読取りから求める方法がある。
【０００３】
【発明が解決しようとする課題】
継手に貼付したバーコードラベルのバーコード読取りは通常、継手にプラスチック管を差込んだのち電気融着装置のコネクターを継手の端子に差込んで接続してから行われるが、作業者の手順の間違いによって、或いはまたプラスチック管を差込んだ継手の周りにスペースの余裕がなく、バーコードリーダーの読取りが行えない場合では、プラスチック管を差込む前の継手のバーコードが予め読込まれることがある。
【０００４】
バーコードを予め読取った継手は、そのまゝ直ちに使用して融着すれば問題ないが、読取後、別の作業をしたり、持場を離れて別の用件にかゝわっているうち、バーコードを読取ったことを忘れることがある。本発明は、バーコードを読取ると、そのことを表示することができる電気融着方法及び装置を提供することを目的とする。
【０００５】
【課題の解決手段】
本発明はそのため、プラスチック管との接合面に電熱線を埋設したエレクトロフュージョン継手とプラスチック管との電気融着を継手に貼付したバーコードラベルのバーコードをバーコード読取装置で読取って融着条件を求めたのち、該融着条件に基づいて行う電気融着方法において、バーコード読取装置でバーコードを読取ると、そのことが表示手段に表示され、その表示は、電気融着に用いる装置のコネクターを継手の端子に差込んで接続することにより解除されることを特徴とする。
【０００６】
表示手段による表示は、例えば断続的な注意音、警告灯の点滅、音声及び若しくは画像によって行われ、表示の停止は、例えば電気融着に用いる装置のコネクターを継手の端子に接続するか、継手への通電を開始し、或いは設定時間経過するか、又は通電を制御する制御装置にリセット信号を送ることなどにより行われる。
【０００７】
したがって別の発明は、プラスチック管との接合面に電熱線を埋設したエレクトロフュージョン継手とプラスチック管との電気融着を継手に貼付したバーコードラベルのバーコードをバーコード読取装置で読取って融着条件を求めたのち、該融着条件に基づいて行う電気融着方法において、バーコード読取装置でバーコードを読取ると、そのことが表示手段に表示され、この表示は、継手への通電を開始することにより解除されることを特徴とし、
更に別の発明は、プラスチック管との接合面に電熱線を埋設したエレクトロフュージョン継手とプラスチック管との電気融着を継手に貼付したバーコードラベルのバーコードをバーコード読取装置で読取って融着条件を求めたのち、該融着条件に基づいて行う電気融着方法において、バーコード読取装置でバーコードを読取ると、そのことが表示手段に表示され、この表示は、リセット信号により解除されることを特徴とする。
【０００８】
別の発明は、プラスチック管との接合面に電熱線を埋設したエレクトロフュージョン継手とプラスチック管との電気融着を継手に貼付したバーコードラベルのバーコードをバーコード読取装置で読取って融着条件を求めたのち、該融着条件に基づいて行う電気融着装置において、バーコードの読取り済みを表示する表示手段と、バーコード読取装置のバーコード読取信号により表示手段に表示を指令する出力をするコントローラとからなり、上記表示手段に表示されたバーコード読取りの表示が、以下の（１）〜（４）のいずれかの手段を設けるか、或いは機能を持たせることによって解除ないし停止されることを特徴とする。
【０００９】
表示手段に表示されたバーコード読取りの表示が、以下の（１）〜（４）のいずれかの手段を設けるか、或いは機能を持たせることによって解除ないし停止される。
（１）電気融着装置のコネクターを継手の端子に差込んで接続したとき、これを検出してコントローラに出力する検出装置。
（２）コントローラに対し、融着開始用のスイッチに出力して該スイッチをＯＮ操作するとき表示手段にも出力する機能を持たせる。
（３）時計機構或いは設定時間経過すると、コントローラに出力するタイマー。
（４）コントローラにリセット信号を出力するリセットボタン。
【００１０】
【発明の実施の形態】
図１に示すように、エレクトロフュージョン継手１とプラスチック管２とを電気融着する際に用いる電気融着装置は、コントローラ３からなり、コントローラ３はマイコン４と、図示省略した電源と継手１の電熱線を含む回路上に設けられ、マイコン４からの出力によりＯＮ−ＯＦＦ制御されるスイッチ５を有しており、マイコン４はＣＰＵ６と、時計機構７と、バーコード読取装置８で読取ったバーコード情報を一時的に記憶するＲＡＭ９を有している。
【００１１】
コントローラ３にはまた、表示手段としての注意音発生装置１１と、リセットボタン１２と、コネクター１３に設けられる検出手段としてのタッチセンサー１４とが設けられ、バーコード読取装置８が継手１に貼付したバーコードラベルのバーコードを読取り、ＲＡＭ９に記憶されると、マイコン４からの出力により注意音発生装置１１が断続的な注意音を発生するようになっており、この注意音はリセットボタン１２からのリセット信号、注意音を発生したときの時間から、設定時間経過したとき、或いはコネクター１３を継手１の端子１６に差込んで接続したときにこれを検出するタッチセンサー１４からの出力信号を得たときにマイコン４から注意音発生装置１１に出力される制御信号によって解除され、タッチセンサー１４からの出力により解除されたときは、通電前にコネクター１３を端子１６から外すと、上記設定時間内であり、かつリセットボタン１２を押さない限り、再度注意音が発生し、マイコン４からの出力によりスイッチ５をＯＮにして通電した後は、コネクター１３を端子１６より外しても注意音は発生しないようにしてある。
【００１２】
図２は、以上のように構成される電気融着装置による融着方法の一例を示すもので、バーコード読取装置８で継手１に貼付したバーコードラベルのバーコードを読取ると（ステップＳ１）、バーコード情報がマイコン４のＲＡＭ９に一時的に記憶されると共に、マイコン４からの出力により注意音発生装置１１が断続的な注意音を発生させる（ステップＳ２）。注意音の発生は、設定時間が経過したり（ステップＳ３）、設定時間内にリセットボタン１２を押さない限り（ステップＳ４）、コネクター１３を継手１の端子１６に差込んでタッチセンサー１４からの出力があるまで行われ、タッチセンサー１４からの出力があると（ステップＳ５）注意音が停止する（ステップＳ６）。その後融着が開始されるまでにコネクター１３を端子１６から外すと（ステップＳ７）、上記所定時間経過前であれば、再度注意音が発生するが（ステップＳ２）、タッチセンサー１４からの出力があった状態或いは設定時間経過後、又はリセットボタンを押した後融着を開始したのちは（ステップＳ８）、コネクター１３を外しても注意音が発生することはない。
【００１３】
【発明の効果】
請求項１及び５記載の発明によると、バーコード読取装置が継手に貼付したバーコードラベルのバーコードを読取ると、そのことが表示手段に表示されるため、作業者が何等かの事情で持場を離れてもバーコードを読み取ったまゝ未だ融着が行われていないことを容易に認識することができ、またコネクターを継手の端子に接続したことを確認することができる。
【００１４】
請求項２記載の発明によると、通電開始前、コネクターを外すと表示手段の表示が行われるため、コネクターを外した時点で融着が完了したかどうかの確認が可能となり、融着未完了を融着完了と誤認するおそれをなくすことができる。
【００１５】
請求項３及び６記載の発明によると、継手への通電を確認することができる。
請求項７記載の発明によると、表示手段による表示時間を設定することができる。
請求項４及び８記載の発明によると、リセット信号により表示手段による表示を随時解除することができる。
【図面の簡単な説明】
【図１】本発明に係わる電気融着装置の模式図。
【図２】フローチャート
【符号の説明】
１・・エレクトロフュージョン継手
２・・プラスチック管
３・・コントローラ
４・・マイコン
５・・スイッチ
６・・ＣＰＵ
７・・時計機構
８・・バーコード読取装置
９・・ＲＡＭ
１１・・注意音発生装置
１２・・リセットボタン
１３・・コネクター
１４・・タッチセンサー
１６・・端子
【図１】
0003833817.tif 000002
【図２】
0003833817.tif 000003